(57)【要約】  本発明は、食器洗浄機（１）であって、洗浄庫（２）と、食器を洗剤溶液によって洗浄するための装置と、収着乾燥装置（２１）とが設けられており、該収着乾燥装置（２１）が、洗浄庫の出口（５）と洗浄庫（２）の入口（８）とを介して洗浄庫に空気案内式に接続されていて、可逆的に脱水可能な材料（１１）を含んだ収着カラム（１０）を有している形式のものに関する。本発明によれば、洗浄庫（２）の出口（５）と入口（８）とが、空気通路の介在なしに収着乾燥装置（２１）に接続されていることが提案されている。
2008522692.tif 000002
【特許請求の範囲】
【請求項１】
食器洗浄機（１）であって、洗浄庫（２）と、食器を洗剤溶液によって洗浄するための装置と、収着乾燥装置（２１）とが設けられており、該収着乾燥装置（２１）が、洗浄庫（２）の出口（５）と洗浄庫（２）の入口（８）とを介して洗浄庫（２）に空気案内式に接続されていて、可逆的に脱水可能な材料（１１）を含んだ収着カラム（１０）を有している形式のものにおいて、洗浄庫（２）の出口（５）と入口（８）とが、空気通路の介在なしに収着乾燥装置（２１）に接続されていることを特徴とする、食器洗浄機。
【請求項２】
収着乾燥装置（２１）が、洗浄槽（６）の下方の当該食器洗浄機の底領域に配置されており、洗浄庫の出口（５）と入口（８）とが、底領域に配置されている、請求項１記載の食器洗浄機。
【請求項３】
出口（５）および／または入口（８）が、侵入する水に対する受動的な閉鎖手段（１５）を備えている、請求項１または２記載の食器洗浄機。
【請求項４】
出口（５）および／または入口（８）が、能動的な閉鎖手段（１５）を備えている、請求項１から３までのいずれか１項記載の食器洗浄機。
【請求項５】
閉鎖手段（１５）が、電圧の印加によって操作可能である、請求項４記載の食器洗浄機。
【請求項６】
ブロワ（９）への電圧の印加によって、該電圧が、閉鎖手段（１５）に印加されている、請求項５記載の食器洗浄機。
【請求項７】
閉鎖手段（１５）が、感温性の記憶金属によって操作されるようになっている、請求項５記載の食器洗浄機。
【請求項８】
収着カラム（１０）が、１つには、食器を乾燥させるために使用されるようになっており、もう１つには、収着カラム（１０）の脱着のために使用される熱エネルギが、洗浄庫（２）内に位置する洗剤溶液および／または洗浄物を加熱するために使用されるようになっている、請求項１から７までのいずれか１項記載の食器洗浄機。
【請求項９】
洗浄庫（２）からの空気および／または周辺空気が、加熱したい洗剤溶液によるパートプログラムステップの間、有利にはパートプログラムステップ「本洗い」および／または「予洗い」および／または「仕上げ濯ぎ」の間に収着カラム（１０）を通って洗浄庫（２）内に案内可能である、請求項８記載の食器洗浄機。
【請求項１０】
可逆的に脱水可能な材料（１１）の脱着および洗剤溶液および／または洗浄物の加熱のために、電気的な加熱エレメント（１２）が配置されている、請求項８または９記載の食器洗浄機。
【請求項１１】
加熱エレメントが、可逆的に脱水可能な材料内に配置されている、請求項１０記載の食器洗浄機。
【発明の詳細な説明】
【技術分野】
【０００１】
本発明は、食器洗浄機であって、洗浄庫と、食器を洗剤溶液によって洗浄するための装置と、収着乾燥装置とが設けられており、該収着乾燥装置が、洗浄庫の出口と洗浄庫の入口とを介して洗浄庫に空気案内式に接続されていて、可逆的に脱水可能な材料を含んだ収着カラムを有している形式のものに関する。
【０００２】
慣用の食器洗浄機は、知られているように、一般的に少なくとも１回のパートプログラムステップ「予洗い」と、１回のパートプログラムステップ「本洗い」と、少なくとも１回のパートプログラムステップ「濯ぎ」と、１回のパートプログラムステップ「仕上げ濯ぎ」と、１回のパートプログラムステップ「乾燥」とから成るプログラム実行を備えた洗浄法を有している。この場合、洗浄効果を高めるためには、洗浄液もしくは洗剤溶液（本洗い時に使用される本洗い用洗剤溶液および仕上げ濯ぎ時に使用される仕上げ濯ぎ用洗剤溶液）が所定のパートプログラムステップの前にまたは所定のパートプログラムステップの間に加熱される。洗浄液の加熱は、通常、電気的な加熱エレメントによって行われる。食器洗浄機内の洗浄物を乾燥させるためには、種々異なる乾燥システムが知られている。
【０００３】
したがって、ドイツ連邦共和国特許出願公開第２０１６８３１号明細書に基づき、冒頭で述べた形式の食器洗浄機が公知である。この公知の食器洗浄機では、洗浄庫からの空気が、この洗浄庫の壁に設けられた閉鎖可能な開口を介して、可逆的に脱水可能な材料に案内され、そこから１つの開口を介して外方に案内される。可逆的に脱水可能な材料の脱着は、機器の停止段階の間に行われる。この場合、その際に生ぜしめられた水蒸気が開口を介して外方に案内される。記載された食器洗浄機は、エネルギ的な観点から不利である。なぜならば、可逆的に脱水可能な材料の再生が機器の停止段階の間ひいては冒頭に記載したパートプログラムステップのいずれも実施されない時点に行われるからである。さらなる欠点は、可逆的に脱水可能な材料の再生の間に生ぜしめられた水蒸気の外方への導出によって、周辺の台所家具の損害を排除することができないことにある。この場合、再生は付加的なエネルギ要求に結び付けられている。このエネルギ要求は、パートプログラムステップの間に必要となるエネルギ要求に対して付加的に生ぜしめられる。
【０００４】
食器洗浄機の運転時のエネルギ消費を可能な限り僅かに保つために、当該出願人のドイツ連邦共和国特許出願第１０３５３７７４．０号明細書に基づき、洗浄庫と、食器を洗剤溶液によって洗浄するための装置とを備えた食器洗浄機が公知である。この公知の食器洗浄機は、洗浄庫に空気案内式に接続された、可逆的に脱水可能な材料を含有した収着カラムを有している。この場合、この収着カラムは、１つには、食器を乾燥させるために少なくとも部分的に使用され、もう１つには、収着カラムの脱着のために使用される熱エネルギが、洗浄庫内に位置する洗剤溶液および／または食器を加熱するために少なくとも部分的に使用される。
【０００５】
同じ問題を解決するために、当該出願人のドイツ連邦共和国特許出願第１０３５３７７５．９号明細書は、機器を少なくとも１回のパートプログラムステップ「乾燥」で運転するために、処理室からの空気および／または周辺空気からの空気を収着カラムを通して処理室内に案内することを提案している。この場合、収着カラムは、可逆的に脱水可能な材料を含有していて、空気から通過案内の間に湿分を奪取する。
【０００６】
吸湿性の特性を備えた可逆的に脱水可能な材料、たとえばゼオライトの使用によって、パートプログラムステップ「乾燥」に先行するパートプログラムステップでの処理したい物品の加熱が通常もはや不要となる。これによって、かなりのエネルギ節約が可能になる。
【０００７】
欧州特許第０３５８２７９号明細書に基づき、閉じられた乾燥システムを備えた食器洗浄機が公知である。この乾燥システムでは、洗浄庫からの空気が、加熱によって再生可能な乾燥装置を介して、この乾燥装置から洗浄庫内に戻るように循環する。乾燥装置は、洗浄庫の外部に配置された、洗剤溶液のためのヒータ、有利にはフロースルーヒータに対応配置されている。洗浄庫の出口は洗浄庫の天井に位置しているのに対して、入口は洗浄庫の洗浄槽に組み込まれている。洗浄庫の出口は空気通路を介して収着乾燥装置に接続されている。この収着乾燥装置が洗剤溶液のためのヒータに対応配置されていることに応じて、収着乾燥装置は洗浄槽の下方の領域に配置されている。
【０００８】
上述した全ての配置形式には、食器洗浄機への収着乾燥装置の組込みが構想的にしか記載されていないことが共通している。したがって、本発明の課題は、収着乾燥装置を簡単にかつ廉価に組み込むことができる食器洗浄機を提供することである。
【０００９】
この課題を解決するために本発明の構成では、洗浄庫の出口と入口とが、空気通路の介在なしに収着乾燥装置に接続されているようにした。
【００１０】
本発明の有利な構成によれば、収着乾燥装置が、洗浄槽の下方の当該食器洗浄機の底領域に配置されており、洗浄庫の出口と入口とが、底領域に配置されている。
【００１１】
本発明の有利な構成によれば、出口および／または入口が、侵入する水に対する受動的な閉鎖手段を備えている。
【００１２】
本発明の有利な構成によれば、出口および／または入口が、能動的な閉鎖手段を備えている。
【００１３】
本発明の有利な構成によれば、閉鎖手段が、電圧の印加によって操作可能である。
【００１４】
本発明の有利な構成によれば、ブロワへの電圧の印加によって、該電圧が、閉鎖手段に印加されている。
【００１５】
本発明の有利な構成によれば、閉鎖手段が、感温性の記憶金属によって操作されるようになっている。
【００１６】
本発明の有利な構成によれば、収着カラムが、１つには、食器を乾燥させるために使用されるようになっており、もう１つには、収着カラムの脱着のために使用される熱エネルギが、洗浄庫内に位置する洗剤溶液および／または洗浄物を加熱するために使用されるようになっている。
【００１７】
本発明の有利な構成によれば、洗浄庫からの空気および／または周辺空気が、加熱したい洗剤溶液によるパートプログラムステップの間、有利にはパートプログラムステップ「本洗い」および／または「予洗い」および／または「仕上げ濯ぎ」の間に収着カラムを通って洗浄庫内に案内可能である。
【００１８】
本発明の有利な構成によれば、可逆的に脱水可能な材料の脱着および洗剤溶液および／または洗浄物の加熱のために、電気的な加熱エレメントが配置されている。
【００１９】
本発明の有利な構成によれば、加熱エレメントが、可逆的に脱水可能な材料内に配置されている。
【００２０】
本発明による食器洗浄機、特に家庭用食器洗浄機は、洗浄庫と、食器を洗剤溶液によって洗浄するための装置と、収着乾燥装置とを有している。この収着乾燥装置は洗浄庫の出口と洗浄庫の入口とを介して洗浄庫に空気案内式に接続されていて、可逆的に脱水可能な材料を含んだ収着カラムを有している。さらに、洗浄庫の出口と入口とを空気通路の介在なしに収着乾燥装置に接続することが提案されている。これによって、特に僅かなスペース需要の利点が得られる。これによって、構造的に特に簡単なかつ廉価に製作することができる食器洗浄機を実現することができる。なぜならば、食器洗浄機内に配置すべき管路または通路の省略が可能となり、収着乾燥装置が特にコンパクトに形成可能となるからである。
【００２１】
収着乾燥装置は、有利な構成によれば、洗浄槽の下方の食器洗浄機の底領域に配置されていてよい。この場合、洗浄庫の出口と入口とは底領域に配置されている。洗浄槽の下方には、通常、食器洗浄機の機能エレメントのためのスペースが十分に設けられているので、収着乾燥装置を特に簡単に既存の設計・製造過程に組み込むことができる。
【００２２】
別の有利な構成によれば、出口および／または入口が、侵入する水に対する受動的な閉鎖手段を備えていることが提案されている。これは、最も簡単な事例では、出口もしくは入口の上方に設けられたカバーであってよい。このカバーは、有利には、同時に空気流の流れ方向が規定されるように形成されており、これによって、空気の可能な限り良好な渦流が洗浄庫内に得られ、これによって、良好な湿分吸収が実現されている。
【００２３】
択一的な構成では、出口および／または入口が能動的な閉鎖手段を備えていることが提案されていてよい。この閉鎖手段は、たとえば電圧の印加によって操作可能に形成することができる。したがって、閉鎖手段をモータ駆動式にまたはハイドロリック式に形成することができる。この場合、ブロワへの電圧の印加によって、この電圧が閉鎖手段に印加されていると特に有利であり、これによって、閉鎖手段が開放され、これによって、収着乾燥装置への空気循環路が提供される。この場合、入口と出口とは、収着カラムの再生段階の間およびパートプログラムステップ「乾燥」の間に開放されていさえすればよい。その他のパートプログラムステップの間には、閉鎖手段が確実なシーリングのために働き、これによって、電気的な機能エレメントを有する収着乾燥装置内への噴射水の侵入が阻止される。
【００２４】
別の有利な構成では、閉鎖手段が、感温性の記憶金属によって操作されてもよい。この場合、閉鎖手段の制御は電気的な形式で行われるのではなく、種々異なるパートプログラムステップの間に生ぜしめられる温度に基づき行われる。
【００２５】
別の構成によれば、収着カラムが、１つには、食器を乾燥させるために使用され、もう１つには、収着カラムの脱着のために使用される熱エネルギが、洗浄庫内に位置する洗剤溶液および／または洗浄物を加熱するために使用される。食器洗浄機は、当該出願人のドイツ連邦共和国特許出願第１０３５３７７４．０号明細書に記載されているような機能原理から形成されていてよい。当該刊行物の内容は、有利である限り、本出願に取り込まれる。ここに記載された機械は、収着乾燥装置の配置の点で異なっている。
【００２６】
有利な特徴によれば、洗浄庫からの空気および／または周辺空気からの空気が、加熱したい洗剤溶液によるパートプログラムステップの間、有利にはパートプログラムステップ「本洗い」および／または「予洗い」および／または「仕上げ濯ぎ」の間に収着カラムを通って洗浄庫内に案内される。
【００２７】
有利には、可逆的に脱水可能な材料の脱着および洗剤溶液および／または洗浄物の加熱のために、電気的な加熱エレメントが配置されている。この加熱エレメントは、有利には、可逆的に脱水可能な材料内に配置されている。
【００２８】
以下に、本発明を１つの図面につき詳しく説明する。この図面には、本発明による食器洗浄機の１つの実施例が示してある。
【００２９】
図１には、第１の構成による本発明による食器洗浄機１が概略図で示してある。この食器洗浄機１は洗浄庫２を備えている。この洗浄庫２内には、洗浄物（図示せず）を整理して入れるための食器かご３，４が配置されている。本発明による食器洗浄機の構造は、当該出願人のドイツ連邦共和国特許出願公開第１０３５３７７４号明細書および／またはドイツ連邦共和国特許出願公開第１０３５３７７５号明細書に記載されているような原理から形成されていてよい。当該刊行物の内容は、有利である限り、本出願に一緒に取り込まれる。食器洗浄機１は、洗浄庫２に空気案内式に接続された、可逆的に脱水可能な材料１１、たとえばゼオライトを含有した収着カラム１０を有している。この場合、この収着カラム１０は、１つには、乾燥のために使用され、もう１つには、通過案内される空気を加熱するためにも使用される。洗浄庫２は、記載した実施例において洗浄槽６に配置された出口５を有している。この出口５は、洗浄槽の下方に配置された収着乾燥装置２１に直接接続されている。さらに、洗浄庫２は、記載した実施例において同じく洗浄槽６に配置された、収着乾燥装置２１からの入口８を有している。収着乾燥装置２１は、収着カラム１０のほかに、ブロワ９と電気的な加熱エレメント１２とを有している。この場合、ブロワのハウジング１４と収着カラム１０のハウジング１３とは、統合されて食器洗浄機１の洗浄槽６の下方に形成されている。収着乾燥装置２１を通る空気路は矢印Ａ，Ｂ，Ｃによって図示してある。乾燥過程自体は、当該出願人のドイツ連邦共和国特許出願公開第１０３５３７７４号明細書および／またはドイツ連邦共和国特許出願公開第１０３５３７７５号明細書に記載されているように行われる。
【００３０】
洗浄庫２内に位置する洗浄物が負荷されるパートプログラムステップの間に収着乾燥装置２１と電気的な機能部材（ブロワ９、加熱エレメント１２）とに噴射水が侵入することを阻止するためには、出口５が閉鎖手段（図示せず）を備えており、これによって、水の侵入が確実に阻止される。相応して、入口８は、図１において、たとえば受動的な閉鎖手段１５を有している。この閉鎖手段１５は、本実施例では、流れ機能を備えたカバーとして形成されている。一般的に、受動的な閉鎖手段は、適切に形成されたあらゆるカバーによって形成されていてよい。
【００３１】
図示していない構成では、出口５と入口８とが、能動的に操作される（制御可能な）閉鎖手段を備えていてもよい。１つの能動的な閉鎖手段は、開閉機能を有するカバー、スライダまたはこれに類するものによって形成されていてよい。この場合、開閉位置は、有利には、収着乾燥装置２１の運転、より正確には、ブロワ９および／または電気的な加熱エレメント１２の運転に結び付けられている。これによって、能動的な閉鎖手段が、ブロワの運転時、たとえばパートプログラムステップ「乾燥」の間、空気の、妨害されない吸込みもしくは吹出しを可能にすることができ、ブロワの停止時に収着乾燥装置への１つまたはそれ以上の出入口を洗剤溶液の侵入に対して確実に閉鎖することができる。能動的な閉鎖手段はモータ駆動式にかつ／またはハイドロリック式に操作されてもよい。この場合、この操作は収着乾燥装置の運転に関連して行われる。択一的には、種々異なるパートプログラムステップの間の変化する温度に基づき開閉位置にもたらすことができる記憶金属の使用が可能であってもよい。
【００３２】
本発明による食器洗浄機の利点は、その製造が簡単にかつ廉価に可能となることにある。なぜならば、空気通路の敷設および組込みを省略することができるからである。
【００３３】
本発明によって、経済的な観点下で廉価に製作可能であり、洗浄庫内に位置する洗浄物を効率よく洗浄することができると共に乾燥させることができる食器洗浄機が提供されている。この場合、これに結び付けられたエネルギ消費は僅かに保つことができる。
【図面の簡単な説明】
【００３４】
【図１】本発明による食器洗浄機の１つの実施例を示す図である。
【符号の説明】
【００３５】
１  食器洗浄機、  ２  洗浄庫、  ３  食器かご、  ４  食器かご、  ５  出口、  ６  洗浄槽、  ８  入口、  ９  ブロワ、  １０  収着カラム、  １１  材料、  １２  加熱エレメント、  １３  ハウジング、  １４  ハウジング、  １５  閉鎖手段、  ２１  収着乾燥装置、  Ａ  空気路、  Ｂ  空気路、  Ｃ  空気路
【図１】
2008522692.tif 000003
【国際調査報告】
2008522692.tif 000004
2008522692.tif 000005
2008522692.tif 000006
2008522692.tif 000007